(57)【要約】【課題】汎用性に優れ、且つ、利用者がシェーマ図を選択するための操作を行うこと無く、診療に関するシェーマ図の提示を実現する。【解決手段】シェーマ図を管理するシェーマ図管理部１３０と、診療情報の入力を行う診療情報入力部１１０と、診療情報入力部１１０により入力された診療情報を言語処理して単語を抽出する診療情報言語処理部１２０と、シェーマ図管理部１３０で管理しているシェーマ図の中から、診療情報言語処理部１２０により抽出された単語に関連するシェーマ図を取得し、当該取得したシェーマ図を提示する処理を行うシェーマ図提示部１４０を備える。【選択図】図１
2014153809.tif 000002
【特許請求の範囲】
【請求項１】
シェーマ図を用いた診療を支援するための診療支援装置であって、
前記シェーマ図を管理するシェーマ図管理手段と、
前記診療における診療情報の入力を行う診療情報入力手段と、
前記診療情報を言語処理して単語を抽出する診療情報言語処理手段と、
前記シェーマ図管理手段で管理しているシェーマ図の中から、前記診療情報言語処理手段により抽出された単語に関連するシェーマ図を取得し、当該取得したシェーマ図を提示する処理を行うシェーマ図提示手段と
を有することを特徴とする診療支援装置。
【請求項２】
前記シェーマ図管理手段は、前記シェーマ図を、当該シェーマ図の分類および当該シェーマ図の用語と関連付けて管理するものであり、
前記シェーマ図提示手段は、前記診療情報言語処理手段により抽出された単語が、前記シェーマ図の分類または前記シェーマ図の用語に該当する場合に、当該該当するシェーマ図の分類またはシェーマ図の用語に関連付けられたシェーマ図を前記関連するシェーマ図として取得することを特徴とする請求項１に記載の診療支援装置。
【請求項３】
前記シェーマ図の分類は、人体の部位の名称に基づくものであることを特徴とする請求項２に記載の診療支援装置。
【請求項４】
前記シェーマ図の用語は、人体の部位の名称の類似語に基づくものであることを特徴とする請求項２または３に記載の診療支援装置。
【請求項５】
前記シェーマ図提示手段は、前記関連するシェーマ図が複数ある場合に、前記診療情報言語処理手段により抽出された単語に該当する当該シェーマ図の分類または当該シェーマ図の用語の出現頻度を検出し、前記出現頻度の高い順番に従って前記関連するシェーマ図を提示する処理を行うことを特徴とする請求項２乃至４のいずれか１項に記載の診療支援装置。
【請求項６】
前記シェーマ図提示手段は、前記関連するシェーマ図の数に応じて、当該シェーマ図を提示する際の大きさを調整することを特徴とする請求項１乃至５のいずれか１項に記載の診療支援装置。
【請求項７】
前記シェーマ図提示手段は、前記シェーマ図の分類に前記関連するシェーマ図が複数ある場合に、当該シェーマ図の分類を代表する１つのシェーマ図を提示する処理を行うことを特徴とする請求項２乃至５のいずれか１項に記載の診療支援装置。
【請求項８】
シェーマ図を管理するシェーマ図管理手段を備え、前記シェーマ図を用いた診療を支援するための診療支援装置による診療支援方法であって、
前記診療における診療情報の入力を行う診療情報入力ステップと、
前記診療情報を言語処理して単語を抽出する診療情報言語処理ステップと、
前記シェーマ図管理手段で管理しているシェーマ図の中から、前記診療情報言語処理ステップにより抽出された単語に関連するシェーマ図を取得し、当該取得したシェーマ図を提示する処理を行うシェーマ図提示ステップと
を有することを特徴とする診療支援方法。
【請求項９】
シェーマ図を管理するシェーマ図管理手段を備え、前記シェーマ図を用いた診療を支援するための診療支援装置による診療支援方法をコンピュータに実行させるためのプログラムであって、
前記診療における診療情報の入力を行う診療情報入力ステップと、
前記診療情報を言語処理して単語を抽出する診療情報言語処理ステップと、
前記シェーマ図管理手段で管理しているシェーマ図の中から、前記診療情報言語処理ステップにより抽出された単語に関連するシェーマ図を取得し、当該取得したシェーマ図を提示する処理を行うシェーマ図提示ステップと
をコンピュータに実行させるためのプログラム。
【発明の詳細な説明】
【技術分野】
【０００１】
本発明は、シェーマ図を用いた診療を支援する診療支援装置及び診療支援方法、並びに、当該診療支援方法をコンピュータに実行させるためのプログラムに関する。
【背景技術】
【０００２】
従来、病院などの医療現場において、医師は、紙カルテに患者の主訴、診察の所見、処置等の診療情報を記録し、患者の疾患部位を示すシェーマ図と呼ばれる略図を描画し、診療情報との対応付けを記録する。
【０００３】
近年、医療分野においても電子化が進み、診療情報を電子カルテに記録する診療支援システムが実用化されつつある。例えば、電子カルテによるシェーマ図の描画のために、マウスやタブレットなどの入力デバイスを巧みに操作し、入力デバイスが描いた軌跡を図形情報として入力することができる。しかしながら、複雑な人体構造を示すシェーマ図の描画は、上述した操作では容易に対応できない。
【０００４】
そこで、電子カルテにおけるシェーマ図の入力を簡易にするための提案がなされている（例えば、下記の特許文献１、特許文献２、特許文献３を参照）。
【０００５】
例えば、下記の特許文献１には、予め装置内にシェーマ図を多数記憶しておき、医者等の利用者に所望のシェーマ図を選択させる技術が開示されている。この技術を用いることで、選択されたシェーマ図に疾患部を示す簡単なマークを描画すれば、シェーマ図と診療情報とが一体化として、当該患者に対応付けて診療情報のデータベースに記録される。
【０００６】
下記の特許文献２には、シェーマポイントの人体モデル画像上の位置と各シェーマポイントが持つシェーマ図とを保持し、ポインタにより、検索したいシェーマ図が配されているシェーマポイントを指定して、所望のシェーマ図を選択する技術が開示されている。この技術を用いることで、所望のシェーマ図を簡単な操作で直感的に探し出すことができる。
【０００７】
下記の特許文献３には、人体の各部位ごとのシェーマ図を識別名で管理し、「ＤＩＣＯＭ」という通信規格を用いる医用画像データに格納された撮影装置に関する情報や撮像部位に関する情報を読み出し、撮影部位に関連付けられたシェーマ図を候補として提示し、必要となるシェーマ図を選択する技術が開示されている。この技術を用いることで、所望のシェーマ図を簡易な操作で自動的に選択することができる。
【先行技術文献】
【特許文献】
【０００８】
【特許文献１】特開２００６−３１８１５４号公報
【特許文献２】特開２００４−７８２９９号公報
【特許文献３】特開２０１０−３９９５６号公報
【発明の概要】
【発明が解決しようとする課題】
【０００９】
特許文献１に記載された技術では、階層構造から所望のシェーマ図の選択ができ、手書き描画の手間が省ける。しかしながら、特許文献１に記載された技術では、シェーマ図の選択操作が必要であり、また、シェーマ図の数が多い場合には選択操作が煩雑になってしまうという問題もある。
【００１０】
また、特許文献２に記載された技術では、人体モデル画像から所望のシェーマ図の候補を選択でき、より簡易で直感的に操作できる。しかしながら、特許文献２に記載された技術では、シェーマ図を選択するためにシェーマポイントを指定する操作が必要であり、また、人体の近い部位に複数のシェーマポイントが配置される場合に選択が間違いやすいという問題もある。
【００１１】
また、特許文献３に記載された技術では、取得した撮影部位と関連付けられたシェーマ図の候補を自動的に提示できる。しかしながら、特許文献３に記載された技術では、撮影装置が「ＤＩＣＯＭ」という通信規格に満たさない場合には、撮影部位の情報が読み出せず、シェーマ図の自動提示が困難であるという問題がある。即ち、特許文献３に記載された技術は、汎用性に劣るという問題がある。
【００１２】
本発明は、このような問題点に鑑みてなされたものであり、汎用性に優れ、且つ、利用者がシェーマ図を選択するための操作を行うこと無く、診療に関するシェーマ図の提示を実現する仕組みを提供することを目的とする。
【課題を解決するための手段】
【００１３】
本発明の診療支援装置は、シェーマ図を用いた診療を支援するための診療支援装置であって、前記シェーマ図を管理するシェーマ図管理手段と、前記診療における診療情報の入力を行う診療情報入力手段と、前記診療情報を言語処理して単語を抽出する診療情報言語処理手段と、前記シェーマ図管理手段で管理しているシェーマ図の中から、前記診療情報言語処理手段により抽出された単語に関連するシェーマ図を取得し、当該取得したシェーマ図を提示する処理を行うシェーマ図提示手段とを有する。
また、本発明は、上述した診療支援装置による診療支援方法、及び、当該診療支援方法をコンピュータに実行させるためのプログラムを含む。
【発明の効果】
【００１４】
本発明によれば、汎用性に優れ、且つ、利用者がシェーマ図を選択するための操作を行うこと無く、診療に関するシェーマ図を提示することができる。これにより、診療効率の向上及び診療の質の向上を図ることができる。
【図面の簡単な説明】
【００１５】
【図１】本発明の第１の実施形態に係る診療支援システムの機能構成の一例を示すブロック図である。
【図２】本発明の第１の実施形態に係る診療支援システムのハードウェア構成の一例を示すブロック図である。
【図３】本発明の第１の実施形態に係る診療支援システムによる診療支援方法の処理手順の一例を示すフローチャートである。
【図４】本発明の第１の実施形態を示し、図１に示すシェーマ図管理部で管理する、シェーマ図管理用のマスターテーブルとシェーマ図のデータベースの一例を示す模式図である。
【図５】本発明の第１の実施形態を示し、図３のステップＳ１３０における診療情報の言語処理、及び、図３のステップＳ１５０における関連するシェーマ図の提示処理の一例を示す模式図である。
【図６】本発明の第２の実施形態に係る診療支援システムによる診療支援方法の処理手順の一例を示すフローチャートである。
【図７】本発明の第２の実施形態を示し、図６のステップＳ２５０における関連するシェーマ図の分類とその出現頻度の検出処理、及び、図６のステップＳ２７０及びステップＳ２８０における関連するシェーマ図の提示処理の一例を示す模式図である。
【図８】本発明の第３の実施形態に係る診療支援システムによる診療支援方法の処理手順の一例を示すフローチャートである。
【図９】本発明の第３の実施形態を示し、図８のステップＳ３６０及びステップＳ３７０における関連するシェーマ図の提示処理の一例を示す模式図である。
【発明を実施するための形態】
【００１６】
以下に、図面を参照しながら、本発明を実施するための形態（実施形態）について説明する。なお、以下に示す本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【００１７】
（第１の実施形態）
まず、本発明の第１の実施形態について説明する。
【００１８】
図１は、本発明の第１の実施形態に係る診療支援システムの機能構成の一例を示すブロック図である。
図１に示すように、診療支援システム１０は、診療支援装置１００と、入力・表示装置２００を備えて構成されている。具体的に、図１には、診療支援装置１００の機能構成の一例を示すブロック図が示されている。
【００１９】
診療支援装置１００は、図１に示すように、診療情報入力部１１０、診療情報言語処理部１２０、シェーマ図管理部１３０、シェーマ図提示部１４０、及び、診療情報記録部１５０の各機能構成を有している。
【００２０】
診療情報入力部１１０は、医師等の利用者が入力・表示装置２００に対して操作入力した診療情報（例えば、患者の主訴、医師の検査所見等）を、診療支援装置１００に入力する処理を行う。
【００２１】
診療情報言語処理部１２０は、診療情報入力部１１０により入力された診療情報を言語処理して単語を抽出する処理を行う。
【００２２】
シェーマ図管理部１３０は、シェーマ図の各分類や各用語（各分類用語）におけるシェーマ図を管理する処理を行う。具体的に、シェーマ図管理部１３０は、人体の各部位の名称をシェーマ図の分類とし、人体の各部位の名称の類似語をシェーマ図の用語とし、そして、これらをシェーマ図の分類ごとにシェーマ図と関連付けてシェーマ図管理用のマスターテーブルとして管理する。即ち、シェーマ図管理部１３０は、シェーマ図管理用のマスターテーブルを用いて、シェーマ図のデータベースに記憶されているシェーマ図を管理する。
【００２３】
シェーマ図提示部１４０は、診療情報言語処理部１２０により抽出された単語が、シェーマ図管理部１３０のシェーマ図管理用のマスターテーブルにあるシェーマ図の分類、或いは、シェーマ図の用語と関連している（該当する及び類似するを含む）か否かを判断する。即ち、シェーマ図提示部１４０は、診療情報の中にシェーマ図の関連語があるか否かを判断する。そして、シェーマ図提示部１４０は、診療情報言語処理部１２０により抽出された単語と関連するシェーマ図の分類等と関連付けられたシェーマ図を候補として提示する処理を行う。例えば、シェーマ図提示部１４０は、診療情報言語処理部１２０により抽出された単語と関連するシェーマ図の分類等と関連付けられたシェーマ図をシェーマ図管理部１３０から取得し、取得したシェーマ図を入力・表示装置２００に表示することにより、シェーマ図を提示する。
【００２４】
診療情報記録部１５０は、診療情報入力部１１０により入力された診療情報や、シェーマ図提示部１４０により提示されたシェーマ図、更には、当該シェーマ図に記述された診療情報を記録する。この際、例えば、診療情報記録部１５０は、上述した診療情報等を記憶媒体に記憶することや、上述した診療情報等を用紙に印刷出力することなどにより、上述した診療情報等を記録する。
【００２５】
入力・表示装置２００は、医師等の利用者が診療情報を含む各種の情報を操作入力したり、診療支援装置１００（シェーマ図提示部１４０）から送信されたシェーマ図を含む各種の画像や各種の情報を表示したりする。
【００２６】
次に、本実施形態に係る診療支援システム１０のハードウェア構成について説明する。
図２は、本発明の第１の実施形態に係る診療支援システムのハードウェア構成の一例を示すブロック図である。
【００２７】
診療支援システム１０は、図２に示すように、ＣＰＵ１０１、バス１０２、入力／表示部１０３、入力／表示制御部１０４、印刷部１０５、内部メモリ１０６、及び、外部メモリ１０７の各ハードウェア構成を有している。
【００２８】
ＣＰＵ１０１は、中央処理装置（Central Processing Unit）であり、バス１０２を介して接続された各ハードウェア構成（１０３〜１０７）を制御することにより、診療支援システム１０における動作を統括的に制御する。
【００２９】
バス１０２は、各種の情報の転送経路となる通信バスであり、ＣＰＵ１０１、入力／表示部１０３、入力／表示制御部１０４、印刷部１０５、内部メモリ１０６及び外部メモリ１０７を相互に通信可能に接続する。
【００３０】
入力／表示部１０３は、例えば、入力装置と表示装置とが一体化形成された液晶ペンタブレットである。この場合、入力部はペン形状をしたペンタブレットポインタであり、表示部は液晶ディスプレイ画面であり、利用者は、入力部による操作、或いは、表示部に直接触れることにより、文字や動作指示を入力することができる。
【００３１】
入力／表示制御部１０４は、ＣＰＵ１０１による制御に基づいて、入力／表示部１０３の制御を行う。
【００３２】
印刷部１０５は、ＣＰＵ１０１による制御に基づいて、選択された情報の印刷処理を行う。
【００３３】
内部メモリ１０６は、ＣＰＵ１０１の主メモリやワークエリア等として機能する他、ＣＰＵ１０１で実行される制御プラグラム等を格納する。
【００３４】
外部メモリ１０７は、例えば、ハードディスク、メモリカード、ＣＦカード、ＳＤカード、ＵＳＢメモリ等の、各種の情報を記憶する記憶装置である。
【００３５】
診療支援システム１０は、入力／表示制御部１０４等からの各種のイベントに応じて作動するものである。例えば、入力／表示制御部１０４等からＣＰＵ１０１にインタラプト信号が供給されると、それに伴ってイベントが発生し、当該イベントに応じて、ＣＰＵ１０１は、内部メモリ１０６に記憶されている各種のプログラムを読み出して実行することによって、各種の制御が行われる。
【００３６】
ここで、図１に示す診療支援システム１０の機能構成と、図２に示す診療支援システム１０のハードウェア構成との対応関係の一例について以下に示す。
例えば、図２に示す入力／表示部１０３から、図１に示す入力・表示装置２００が構成される。また、例えば、図２に示す入力／表示制御部１０４から、図１に示す診療情報入力部１１０が構成される。また、例えば、図２に示すＣＰＵ１０１及び内部メモリ１０６に記憶されているプログラムから、図１に示す診療情報言語処理部１２０が構成される。また、例えば、図２に示すＣＰＵ１０１及び内部メモリ１０６に記憶されているプログラム、並びに、外部メモリ１０７から、図１に示すシェーマ図管理部１３０が構成される。また、例えば、図２に示すＣＰＵ１０１及び内部メモリ１０６に記憶されているプログラム、並びに、入力／表示制御部１０４から、図１に示すシェーマ図提示部１４０が構成される。また、例えば、図２に示す外部メモリ１０７或いは印刷部１０５から、図１に示す診療情報記録部１５０が構成される。
【００３７】
なお、上述した例では、図２に示すＣＰＵ１０１が内部メモリ１０６に記憶されているプログラムを実行することにより、図１に示す診療情報言語処理部１２０やシェーマ図管理部１３０、シェーマ図提示部１４０等の手段として機能する例を示している。しかしながら、本発明においては、この形態に限定されるものではなく、例えば、ＣＰＵ１０１と協調して動作するＡＳＩＣ等の制御回路がこれらの手段として機能してもよい。また、ＣＰＵ１０１と制御回路との協調によって、これらの手段が実現されてもよい。また、ＣＰＵ１０１は、単一のものである必要はなく、複数であってもよい。この場合、複数のＣＰＵは分散して処理を実行する。また、複数のＣＰＵは、単一のコンピュータに配置されていてもよいし、物理的に異なる複数のコンピュータに配置されていてもよい。なお、図１に示す診療情報言語処理部１２０やシェーマ図管理部１３０、シェーマ図提示部１４０等の手段が専用の回路等によって実現される形態であってもよい。
【００３８】
次に、本実施形態に係る診療支援システム１０（具体的には診療支援装置１００）による診療支援方法の処理手順について説明する。
図３は、本発明の第１の実施形態に係る診療支援システム（具体的には診療支援装置）による診療支援方法の処理手順の一例を示すフローチャートである。
【００３９】
まず、ステップＳ１１０において、診療支援装置１００は、診療情報を入力するために初期化処理を行う。
具体的に、診療支援装置１００は、患者が初診である場合には、新患の診療情報を１から記述可能にするための画面を用意し、また、患者が再診である場合には、当該患者の過去の診療情報を呼び出して新たな診療情報の追加を可能にする。また、この初期化処理では、診療支援装置１００（具体的にはシェーマ図管理部１３０）は、シェーマ図管理用のマスターテーブルを読み込む処理を行う。このシェーマ図管理用のマスターテーブルは、シェーマ図の分類等とシェーマ図との対応関係を管理するものである。
【００４０】
続いて、ステップＳ１２０において、診療支援装置１００の診療情報入力部１１０は、診療情報の入力処理を行う。
医師は、患者の訴えを主訴として入力・表示装置２００に入力し、病状からそれに対応する人体の部位を徐々に絞り込み、そして、必要となる検査を行い、その結果及び治療方針を順次入力・表示装置２００に追加する。そして、医師は、その一連の診療情報の入力の中で、患者の訴えに基づく診断対象となる具体的な部位を絞り込み、関連付けられたシェーマ図を出し、そこに診療内容を記述するのが一般的である。診療情報入力部１１０は、医師が入力・表示装置２００に対して操作入力した診療情報（例えば、患者の主訴、医師の検査所見等）を、診療支援装置１００に入力する処理を行う。
【００４１】
続いて、ステップＳ１３０において、診療支援装置１００の診療情報言語処理部１２０は、ステップＳ１２０で入力された診療情報を言語処理して単語を抽出する処理を行う。
【００４２】
続いて、ステップＳ１４０において、例えば診療支援装置１００のシェーマ図提示部１４０は、ステップＳ１３０において診療情報から抽出された単語の中に、シェーマ図管理部１３０で管理しているシェーマ図の関連語があるか否かを判断する。具体的に、ステップＳ１４０では、ステップＳ１３０において診療情報から抽出された単語が、シェーマ図管理部１３０で管理しているシェーマ図管理用のマスターテーブルにあるシェーマ図の分類、或いは、シェーマ図の用語のいずれかに該当（類似も含む）するか否かを判断する。
【００４３】
ステップＳ１４０の判断の結果、ステップＳ１３０において診療情報から抽出された単語の中に、シェーマ図の関連語がある場合（具体的には、シェーマ図の分類、或いは、シェーマ図の用語のいずれかに該当する場合）には、ステップＳ１５０に進む。
【００４４】
ステップＳ１５０に進むと、診療支援装置１００のシェーマ図提示部１４０は、ステップＳ１３０において抽出された単語と関連するシェーマ図の分類等と関連付けられたシェーマ図を候補として提示する処理を行う。例えば、シェーマ図提示部１４０は、ステップＳ１３０で抽出された単語と関連するシェーマ図の分類等と関連付けられたシェーマ図をシェーマ図管理部１３０から取得し、取得したシェーマ図を入力・表示装置２００に表示することにより、シェーマ図を提示する。
その後、診療支援装置１００の診療情報記録部１５０は、ステップＳ１２０により入力された診療情報や、シェーマ図提示部１４０により提示されたシェーマ図、更には、当該シェーマ図に記述された診療情報を記録する。そして、図３に示すフローチャートの処理を終了する。
【００４５】
一方、ステップＳ１４０の判断の結果、ステップＳ１３０において診療情報から抽出された単語の中に、シェーマ図の関連語がない場合には、例えば診療情報記録部１５０においてステップＳ１２０により入力された診療情報を記録した後、図３に示すフローチャートの処理を終了する。
【００４６】
次に、図１に示すシェーマ図管理部１３０で管理する、シェーマ図管理用のマスターテーブルと、シェーマ図のデータベースについて説明する。
図４は、本発明の第１の実施形態を示し、図１に示すシェーマ図管理部で管理する、シェーマ図管理用のマスターテーブルとシェーマ図のデータベースの一例を示す模式図である。ここで、図４に示すシェーマ図管理用のマスターテーブルは、例えば、図３のステップＳ１１０における初期化処理時のものであるとする。
【００４７】
シェーマ図管理用のマスターテーブルは、図４に示すように、シェーマ図管理用のマスターテーブル１（１３０１）、シェーマ図管理用のマスターテーブル２（１３０２）、及び、シェーマ図管理用のマスターテーブル３（１３０３）の３つのテーブルからなる。
【００４８】
シェーマ図管理用のマスターテーブル１（１３０１）は、シェーマ図の分類である人体の部位ＩＤ、人体の部位の名称、及び、シェーマ図の用語である人体の部位の名称の類似語を関連付けて記録する。
【００４９】
シェーマ図管理用のマスターテーブル２（１３０２）は、シェーマ図の分類である人体の部位ＩＤ、各シェーマ図の分類ごとシェーマ図の数であるシェーマ図数、及び、各シェーマ図ＩＤを関連付けて記録する。
【００５０】
シェーマ図管理用のマスターテーブル３（１３０３）は、各シェーマ図ＩＤと、当該各シェーマ図ＩＤに該当するシェーマ図の画像名とを関連付けて記録する。
【００５１】
また、シェーマ図のデータベース１３０４は、各シェーマ図を記憶して保存している。
【００５２】
次に、図３のステップＳ１３０における診療情報の言語処理、及び、図３のステップＳ１５０における関連するシェーマ図の提示処理の一例について説明する。
図５は、本発明の第１の実施形態を示し、図３のステップＳ１３０における診療情報の言語処理、及び、図３のステップＳ１５０における関連するシェーマ図の提示処理の一例を示す模式図である。ここで、図５において、図１及び図４と同様の構成については、同じ符号を付している。
【００５３】
入力・表示装置２００には、診療情報の入力／表示画面の一例が示されており、医師が診療内容を順次に記録する例が示されている。
【００５４】
入力・表示装置２００の入力／表示画面に太枠で囲まれた「胸部」は、入力された診療情報を言語処理した際に抽出されたものであり、シェーマ図管理用のマスターテーブル１（１３０１）にある「人体の部位」の１つである「胸部」と一致する単語である。シェーマ図管理用のマスターテーブル１（１３０１）において、「胸部」の「人体の部位ＩＤ」が「０２」なので、例えばシェーマ図提示部１４０は、続いて、シェーマ図管理用のマスターテーブル２（１３０２）の「人体の部位ＩＤ＝０２」を参照する。
【００５５】
そして、例えばシェーマ図提示部１４０は、シェーマ図管理用のマスターテーブル２（１３０２）にある「人体の部位ＩＤ＝０２」に該当する「シェーマ図ＩＤ」の「０２＿０１」の情報を取得する。続いて、例えばシェーマ図提示部１４０は、シェーマ図管理用のマスターテーブル３（１３０３）にある「シェーマ図ＩＤ＝０２＿０１」に該当する「シェーマ図の画像名」の「０２＿０１．ｊｐｇ」の情報を取得する。
【００５６】
そして、例えばシェーマ図提示部１４０は、シェーマ図のデータベース１３０４の中から、「０２＿０１．ｊｐｇ」という名のシェーマ図を取得し、当該取得したシェーマ図を入力・表示装置２００の入力／表示画面の所定領域に表示して提示する。
【００５７】
本実施形態では、シェーマ図を管理するため、人体の部位に基づいてシェーマ図を分類しているが、この人体の部位の他、例えば、病名などに基づくシェーマ図の分類の仕方であってもよい。また、本実施形態では、シェーマ図を管理するため、人体の部位をシェーマ図の分類とし、人体の部位の類似語をシェーマ図の用語として、これらをシェーマ図と関係付けているが、例えば、シェーマ図の分類とシェーマ図とを関連付けるのみであってもよい。また、本実施形態は、診療情報に関連するシェーマ図を候補として提示するものであるが、同じシェーマ図の分類に関連するシェーマ図が複数ある場合には、更に、候補の中から必要となるシェーマ図を選択可能とする形態であってもよい。
【００５８】
第１の実施形態によれば、汎用性に優れ、且つ、利用者がシェーマ図を選択するための操作を行うこと無く、診療に関するシェーマ図を提示することができる。即ち、診療に相応しいシェーマ図候補を自動的に提示することが可能になる。利用者がシェーマ図を選択する手間を省くことができるため、診療効率の向上、及び、（それに伴う）診療の質の向上を図ることができる。
【００５９】
（第２の実施形態）
次に、本発明の第２の実施形態について説明する。
【００６０】
上述した第１の実施形態では、診療情報の言語処理により抽出された単語が、シェーマ図の分類である人体の部位の１ヶ所と関連（該当）し、そして、該当するシェーマ図の分類に関連付けられたシェーマ図を候補として提示するものであった。第２の実施形態では、診療情報の言語処理により抽出された単語が、人体の部位の数カ所と関連するものであり、人体の部位の関連性に基づき、シェーマ図候補の提示を優先順位付けて行うものである。
【００６１】
ここで、第２の実施形態に係る診療支援システムの機能構成は、図１に示す第１の実施形態に係る診療支援システムの機能構成と同様であるため、その説明は省略する。また、第２の実施形態に係る診療支援システムのハードウェア構成は、図２に示す第１の実施形態に係る診療支援システムのハードウェア構成と同様であるため、その説明も省略する。
【００６２】
次に、本実施形態に係る診療支援システム１０（具体的には診療支援装置１００）による診療支援方法の処理手順について説明する。
図６は、本発明の第２の実施形態に係る診療支援システム（具体的には診療支援装置）による診療支援方法の処理手順の一例を示すフローチャートである。
【００６３】
まず、ステップＳ２１０において、診療支援装置１００は、診療情報を入力するために初期化処理を行う。このステップＳ２１０の具体的な処理は、図３のステップＳ１１０における処理と同様である。即ち、このステップＳ２１０の処理では、患者の診療情報を入力するための入力画面の用意や、シェーマ図管理用のマスターテーブルの読み込み等を行う。
【００６４】
続いて、ステップＳ２２０において、診療支援装置１００の診療情報入力部１１０は、診療情報の入力処理を行う。具体的に、診療情報入力部１１０は、医師が入力・表示装置２００に対して操作入力した診療情報（例えば、患者の主訴、医師の検査所見等）を、診療支援装置１００に入力する処理を行う。
【００６５】
続いて、ステップＳ２３０において、診療支援装置１００の診療情報言語処理部１２０は、ステップＳ２２０で入力された診療情報を言語処理して単語を抽出する処理を行う。
【００６６】
続いて、ステップＳ２４０において、例えば診療支援装置１００のシェーマ図提示部１４０は、ステップＳ２３０において診療情報から抽出された単語の中に、シェーマ図管理部１３０で管理しているシェーマ図の関連語があるか否かを判断する。具体的に、ステップＳ２４０では、ステップＳ２３０において診療情報から抽出された単語が、シェーマ図管理部１３０で管理しているシェーマ図管理用のマスターテーブルにあるシェーマ図の分類、或いは、シェーマ図の用語のいずれかに該当（類似も含む）するか否かを判断する。
【００６７】
ステップＳ２４０の判断の結果、ステップＳ２３０において診療情報から抽出された単語の中に、シェーマ図の関連語がある場合（具体的には、シェーマ図の分類、或いは、シェーマ図の用語のいずれかに該当する場合）には、ステップＳ２５０に進む。
【００６８】
ステップＳ２５０に進むと、例えば診療支援装置１００のシェーマ図提示部１４０は、ステップＳ２３０において抽出された単語と関連するシェーマ図の分類と、その出現頻度（その分類に対する類似頻度）を検出して記録する処理を行う。
【００６９】
続いて、ステップＳ２６０に進むと、例えば診療支援装置１００のシェーマ図提示部１４０は、ステップＳ２５０で検出された、ステップＳ２３０において抽出された単語と関連するシェーマ図の分類が１つか否かを判断する。
【００７０】
ステップＳ２６０の判断の結果、ステップＳ２５０で検出された、ステップＳ２３０において抽出された単語と関連するシェーマ図の分類が１つである場合には、ステップＳ２７０に進む。
【００７１】
ステップＳ２７０に進むと、診療支援装置１００のシェーマ図提示部１４０は、ステップＳ２３０において抽出された単語と関連するシェーマ図の分類と関連付けられた１つのシェーマ図を候補として提示する処理を行う。例えば、シェーマ図提示部１４０は、ステップＳ２３０で抽出された単語と関連するシェーマ図の分類と関連付けられたシェーマ図をシェーマ図管理部１３０から取得し、取得したシェーマ図を入力・表示装置２００に表示することにより、シェーマ図を提示する。
その後、診療支援装置１００の診療情報記録部１５０は、ステップＳ２２０により入力された診療情報や、シェーマ図提示部１４０により提示されたシェーマ図、更には、当該シェーマ図に記述された診療情報を記録する。そして、図６に示すフローチャートの処理を終了する。
【００７２】
一方、ステップＳ２６０の判断の結果、ステップＳ２５０で検出された、ステップＳ２３０において抽出された単語と関連するシェーマ図の分類が１つでない（即ち複数ある）場合には、ステップＳ２８０に進む。
【００７３】
ステップＳ２８０に進むと、診療支援装置１００のシェーマ図提示部１４０は、ステップＳ２５０で検出されたシェーマ図の分類の出現頻度に基づいて、当該シェーマ図の分類と関連付けられた複数のシェーマ図を候補として提示する処理を行う。具体的に、シェーマ図提示部１４０は、出現頻度の高い順番に従って複数のシェーマ図を入力・表示装置２００に表示することにより、シェーマ図を提示する。
その後、診療支援装置１００の診療情報記録部１５０は、ステップＳ２２０により入力された診療情報や、シェーマ図提示部１４０により提示されたシェーマ図、更には、当該シェーマ図に記述された診療情報を記録する。そして、図６に示すフローチャートの処理を終了する。
【００７４】
また、ステップＳ２４０の判断の結果、ステップＳ２３０において診療情報から抽出された単語の中に、シェーマ図の関連語がない場合には、例えば診療情報記録部１５０においてステップＳ２２０により入力された診療情報を記録した後、図６に示すフローチャートの処理を終了する。
【００７５】
以上説明したように、本実施形態では、ステップＳ２５０で検出された、ステップＳ２３０において抽出された単語と関連するシェーマ図の分類の数に応じて、シェーマ図候補の提示の仕方を変更するようにしている。
【００７６】
次に、図６のステップＳ２５０における関連するシェーマ図の分類とその出現頻度（その分類に対する類似頻度）の検出処理、及び、図６のステップＳ２７０及びステップＳ２８０における関連するシェーマ図の提示処理の一例について説明する。
図７は、本発明の第２の実施形態を示し、図６のステップＳ２５０における関連するシェーマ図の分類とその出現頻度の検出処理、及び、図６のステップＳ２７０及びステップＳ２８０における関連するシェーマ図の提示処理の一例を示す模式図である。ここで、図７において、図４及び図５と同様の構成については、同じ符号を付している。
【００７７】
領域７００の「記述」部分は、診療情報の言語処理により抽出された単語のうち、シェーマ図の分類、或いは、シェーマ図の用語と一致したものを示している。図７に示す例では、「胸、むね、おなか」といった一連の単語が、シェーマ図管理用のマスターテーブル１（１３０１）における「人体の部位の類似語」の点線で囲まれた用語と一致する。これらの単語のうち、「胸、むね」は、「胸部」という「人体の部位」に該当するものであり、出現頻度は合計で２回であるが、「おなが」は、「腹部」という「人体の部位」に該当ものであり、出現頻度は１回となっている。
【００７８】
シェーマ図管理用のマスターテーブル１（１３０１）において、「胸部」の「人体の部位ＩＤ」が「０２」なので、例えばシェーマ図提示部１４０は、続いて、シェーマ図管理用のマスターテーブル２（１３０２）の「人体の部位ＩＤ＝０２」を参照する。さらに、シェーマ図管理用のマスターテーブル１（１３０１）において、「腹部」の「人体の部位ＩＤ」が「０３」なので、例えばシェーマ図提示部１４０は、続いて、シェーマ図管理用のマスターテーブル２（１３０２）の「人体の部位ＩＤ＝０３」を参照する。
【００７９】
そして、例えばシェーマ図提示部１４０は、シェーマ図管理用のマスターテーブル２（１３０２）にある「人体の部位ＩＤ＝０２」に該当する「シェーマ図ＩＤ」の「０２＿０１」の情報、及び、「人体の部位ＩＤ＝０３」に該当する「シェーマ図ＩＤ」の「０３＿０１」の情報を取得する。続いて、例えばシェーマ図提示部１４０は、シェーマ図管理用のマスターテーブル３（１３０３）にある「シェーマ図ＩＤ＝０２＿０１」に該当する「シェーマ図の画像名」の「０２＿０１．ｊｐｇ」の情報、及び、「シェーマ図ＩＤ＝０３＿０１」に該当する「シェーマ図の画像名」の「０３＿０１．ｊｐｇ」の情報を取得する。このように、診療情報の言語処理による結果により、シェーマ図の分類である「胸部」と関連するシェーマ図「０２＿０１．ｊｐｇ」と、シェーマ図の分類である「腹部」と関連するシェーマ図「０３＿０１．ｊｐｇ」が候補として絞られる。
【００８０】
そして、例えばシェーマ図提示部１４０は、シェーマ図のデータベース１３０４の中から、「０２＿０１．ｊｐｇ」及び「０３＿０１．ｊｐｇ」という名のシェーマ図を取得する。そして、シェーマ図提示部１４０は、シェーマ図の分類の出現頻度（分類との類似頻度）に基づいて、当該シェーマ図を入力・表示装置２００の入力／表示画面の所定領域に表示して提示する。具体的には、領域７００の所定領域に表示されているように、「胸部」と関連するシェーマ図「０２＿０１．ｊｐｇ」、「腹部」と関連するシェーマ図「０３＿０１．ｊｐｇ」の順で提示される。具体的に、図７に示す例では、出現頻度の高いシェーマ図（「０２＿０１．ｊｐｇ」）を優先的に左側に表示した例を示している。
【００８１】
本実施形態では、診療情報の言語処理の結果、複数のシェーマ図の分類、即ち、人体の部位に関連する単語がある場合、その出現頻度によって、当該複数のシェーマ図の分類と関連付けられたシェーマ図の提示順位を決定するものである。本実施形態では、シェーマ図の用語と一致する単語の出現頻度の例を挙げて説明を行ったが、この他、専門用語に近いか否かを判断し、専門用語の類似度によって、関連付けられたシェーマ図の提示順位を決定するようにしてもよい。例えば、マスターテーブル１（１３０１）の「人体の部位」の欄を専門用語で記載するようにする。そして、マスターテーブル１（１３０１）の「人体の部位の類似語」の欄に記載されている用語より「人体の部位」の欄に記載されている用語を優先してシェーマ図の選択に用いる。即ち、医学的な用語の正確性を考慮してシェーマ図の選択を行う。例えば、「人体の部位」の欄に医学的正確性の高い「頭部」、「腹部」と記載され、「人体の部位の類似語」の欄には医学的正確性の低い「あたま」、「おなか」と記載されているものとする。この場合において、診療情報から「頭部」及び「おなか」との単語が抽出されると、「頭部」という単語が優先的に用いられてシェーマ図の選択が行われる。
さらに、シェーマ図の用語と一致する頻度及び専門用語との類似度の両方に基づいて、関連付けられたシェーマ図の提示順位を決定するようにしてもよい。例えば、診療情報から「頭部」という単語が１個及び「おなか」という単語が２個の抽出された場合には、シェーマ図の選択に「頭部」という単語を優先的に使用する。一方、「頭部」という単語が１個及び「おなか」という単語が３個の抽出された場合には、シェーマ図の選択に「おなか」という単語を優先的に使用する。
【００８２】
また、本実施形態では、関連するシェーマ図を優先順位付けて提示するものである。この際、関連付けられた複数のシェーマ図のうち、必要となるシェーマ図を選択可能とする形態であってもよい。
【００８３】
第２の実施形態によれば、第１の実施形態による効果に加えて、診療情報の入力内容に基づき診療に相応しいシェーマ図候補が複数ある場合には、優先順位付けてシェーマ図を提示することが可能になる。
【００８４】
（第３の実施形態）
次に、本発明の第３の実施形態について説明する。
【００８５】
上述した第１及び第２の実施形態では、シェーマ図の候補を入力・表示装置２００に表示して提示する際に、シェーマ図を一律な大きさで提示するものであった。第３の実施形態では、入力・表示装置２００の一定サイズの表示領域（所定領域）において、関連するシェーマ図候補の数によって、シェーマ図候補を表示する大きさを制御するものである。
【００８６】
ここで、第３の実施形態に係る診療支援システムの機能構成は、図１に示す第１の実施形態に係る診療支援システムの機能構成と同様であるため、その説明は省略する。また、第３の実施形態に係る診療支援システムのハードウェア構成は、図２に示す第１の実施形態に係る診療支援システムのハードウェア構成と同様であるため、その説明も省略する。
【００８７】
次に、本実施形態に係る診療支援システム１０（具体的には診療支援装置１００）による診療支援方法の処理手順について説明する。
図８は、本発明の第３の実施形態に係る診療支援システム（具体的には診療支援装置）による診療支援方法の処理手順の一例を示すフローチャートである。
【００８８】
まず、ステップＳ３１０において、診療支援装置１００は、診療情報を入力するために初期化処理を行う。このステップＳ３１０の具体的な処理は、図３のステップＳ１１０における処理と同様である。即ち、このステップＳ３１０の処理では、患者の診療情報を入力するための入力画面の用意や、シェーマ図管理用のマスターテーブルの読み込み等を行う。
【００８９】
続いて、ステップＳ３２０において、診療支援装置１００の診療情報入力部１１０は、診療情報の入力処理を行う。具体的に、診療情報入力部１１０は、医師が入力・表示装置２００に対して操作入力した診療情報（例えば、患者の主訴、医師の検査所見等）を、診療支援装置１００に入力する処理を行う。
【００９０】
続いて、ステップＳ３３０において、診療支援装置１００の診療情報言語処理部１２０は、ステップＳ３２０で入力された診療情報を言語処理して単語を抽出する処理を行う。
【００９１】
続いて、ステップＳ３４０において、例えば診療支援装置１００のシェーマ図提示部１４０は、ステップＳ３３０において診療情報から抽出された単語の中に、シェーマ図管理部１３０で管理しているシェーマ図の関連語があるか否かを判断する。具体的に、ステップＳ３４０では、ステップＳ３３０において診療情報から抽出された単語が、シェーマ図管理部１３０で管理しているシェーマ図管理用のマスターテーブルにあるシェーマ図の分類、或いは、シェーマ図の用語のいずれかに該当（類似も含む）するか否かを判断する。
【００９２】
ステップＳ３４０の判断の結果、ステップＳ３３０において診療情報から抽出された単語の中に、シェーマ図の関連語がある場合（具体的には、シェーマ図の分類、或いは、シェーマ図の用語のいずれかに該当する場合）には、ステップＳ３５０に進む。
【００９３】
ステップＳ３５０に進むと、例えば診療支援装置１００のシェーマ図提示部１４０は、ステップＳ３３０において抽出された単語と関連するシェーマ図が複数あるか否かを判断する。具体的に、ステップＳ３５０では、例えば図４に示すシェーマ図管理用のマスターテーブル２（１３０２）を参照して、関連するシェーマ図の画像数を確認する。
【００９４】
ステップＳ３５０の判断の結果、ステップＳ３３０において抽出された単語と関連するシェーマ図が複数ない（即ち１つである）場合には、ステップＳ３６０に進む。
【００９５】
ステップＳ３６０に進むと、診療支援装置１００のシェーマ図提示部１４０は、ステップＳ３３０において抽出された単語と関連する１つのシェーマ図を候補として、入力・表示装置２００の一定サイズの表示領域における全表示領域に表示して提示する。
その後、診療支援装置１００の診療情報記録部１５０は、ステップＳ３２０により入力された診療情報や、シェーマ図提示部１４０により提示されたシェーマ図、更には、当該シェーマ図に記述された診療情報を記録する。そして、図８に示すフローチャートの処理を終了する。
【００９６】
一方、ステップＳ３５０の判断の結果、ステップＳ３３０において抽出された単語と関連するシェーマ図が複数ある場合には、ステップＳ３７０に進む。
【００９７】
ステップＳ３７０に進むと、診療支援装置１００のシェーマ図提示部１４０は、ステップＳ３３０において抽出された単語と関連する複数のシェーマ図を候補として、入力・表示装置２００の一定サイズの表示領域に表示サイズを調整して表示して提示する。具体的に、ステップＳ３７０では、シェーマ図の数で等分して、各シェーマ図を入力・表示装置２００の一定サイズの表示領域に表示して提示する。
その後、診療支援装置１００の診療情報記録部１５０は、ステップＳ３２０により入力された診療情報や、シェーマ図提示部１４０により提示されたシェーマ図、更には、当該シェーマ図に記述された診療情報を記録する。そして、図８に示すフローチャートの処理を終了する。
【００９８】
また、ステップＳ３４０の判断の結果、ステップＳ３３０において診療情報から抽出された単語の中に、シェーマ図の関連語がない場合には、例えば診療情報記録部１５０においてステップＳ３２０により入力された診療情報を記録した後、図８に示すフローチャートの処理を終了する。
【００９９】
以上説明したように、本実施形態では、ステップＳ３３０において抽出された単語と関連するシェーマ図の数に応じて、シェーマ図の大きさを制御して一定サイズの表示領域に提示するようにしている。
【０１００】
次に、図８のステップＳ３６０及びステップＳ３７０における関連するシェーマ図の提示処理の一例について説明する。
図９は、本発明の第３の実施形態を示し、図８のステップＳ３６０及びステップＳ３７０における関連するシェーマ図の提示処理の一例を示す模式図である。
【０１０１】
図９（ａ）は、診療情報の言語処理の結果、シェーマ図の分類である「胸部」と関連付けられたシェーマ図（図４の「０２＿０１．ｊｐｇ」）が提示される例を示している。図４のシェーマ図管理用のマスターテーブル２（１３０２）によれば、「胸部」（「人体の部位ＩＤ＝０２」）と関連付けられたシェーマ図は１つだけであるため、当該１つのシェーマ図は、指定された一定サイズの表示領域の全領域に亘って大きく表示される。
【０１０２】
図９（ｂ）は、診療情報の言語処理の結果、シェーマ図の分類である「頭部」と関連付けられたシェーマ図（図４の「０１＿０１．ｊｐｇ」、「０１＿０２．ｊｐｇ」、「０１＿０３．ｊｐｇ」、「０１＿０４．ｊｐｇ」）が提示される例を示している。図４のシェーマ図管理用のマスターテーブル２（１３０２）によれば、「頭部」（「人体の部位ＩＤ＝０１」）と関連付けられたシェーマ図は４つあるため、当該４つのシェーマ図は、指定された一定サイズの表示領域を４つの小領域に当分して表示される。
【０１０３】
このように、本実施形態では、入力・表示装置２００の一定サイズの表示領域に関連するシェーマ図候補を表示する際に、関連するシェーマ図候補の数によって、各シェーマ図の表示大小を調整して提示するものである。
【０１０４】
第３の実施形態によれば、第１の実施形態による効果に加えて、シェーマ図の表示領域が一定の大きさで指定されたものであっても、関連付けられたシェーマ図の画像数に応じたシェーマ図の提示が可能になる。
【０１０５】
（第４の実施形態）
次に、本発明の第４の実施形態について説明する。
【０１０６】
上述した第１〜第３の実施形態（特に、第３の実施形態）では、診療情報の言語処理により、診療に関連するシェーマ図が複数ある場合でも、関連するシェーマ図を全て候補として提示することを想定したものであった。第４の実施形態は、関連するシェーマ図の分類に属するシェーマ図が複数ある場合には、代表的な１つのシェーマ図のみを表示して提示し、医師等の利用者は、その１つのシェーマ図を回転させたりしながら診療に使用するものである。
【０１０７】
第４の実施形態によれば、第１の実施形態による効果に加えて、同分類に属するシェーマ図候補が複数あり且つ表示領域が一定である場合でも、代表的なシェーマ図を大きく表示することができる。そして、表示した代表的なシェーマ図を回転操作可能に構成すれば、所望な角度のシェーマ図の表示が可能になる。
【０１０８】
（その他の実施形態）
また、本発明は、以下の処理を実行することによっても実現される。
即ち、上述した各実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
このプログラム及び当該プログラムを記憶したコンピュータ読み取り可能な記録媒体は、本発明に含まれる。
【符号の説明】
【０１０９】
１０  診療支援システム１０、１００  診療支援装置、１１０  診療情報入力部、１２０  診療情報言語処理部、１３０  シェーマ図管理部、１４０  シェーマ図提示部、１５０  診療情報記録部、２００  入力・表示装置
【図１】
2014153809.tif 000003
【図２】
2014153809.tif 000004
【図３】
2014153809.tif 000005
【図４】
2014153809.tif 000006
【図５】
2014153809.tif 000007
【図６】
2014153809.tif 000008
【図７】
2014153809.tif 000009
【図８】
2014153809.tif 000010
【図９】
2014153809.tif 000011